Podtech/llm-jp-corpus-v4-ja_patent huggingface dataset:
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
乾燥消去上面および反対の底面を有する可撓性基材と、
前記底面の少なくとも一部の上に配置された接着剤と、
前記乾燥消去上面の少なくとも一部の上に配置された高分子剥離層と、
を含む乾燥消去シートであって、前記高分子剥離層が２５ｍＪ／ｍ2以下の表面張力を有する溶媒によって湿潤可能であり、
前記高分子剥離層が前記乾燥消去上面の引き剥がし接着力値を２５％以上減らす、乾燥消去シート。
【請求項２】
乾燥消去上面および反対の底面を有する複数の可撓性基材を含む乾燥消去パッドであって、各可撓性基材が、
前記底面の少なくとも一部の上に配置された接着剤と、
前記乾燥消去上面の少なくとも一部の上に配置された高分子剥離層と、
を含み、少なくとも選択された上面が選択された底面に接触している乾燥消去パッドであって、前記高分子剥離層が２５ｍＪ／ｍ2以下の表面張力を有する溶媒によって湿潤可能であり、
前記高分子剥離層が前記乾燥消去上面の引き剥がし接着力値を２５％以上減らす、乾燥消去パッド。
【請求項３】
前記高分子剥離層が（ｉ）非極性モノマーとシロキサンモノマーを共重合すること、又は（ｉｉ）極性モノマー、非極性モノマーおよびシロキサンモノマーを共重合すること、又は（ｉｉｉ）極性モノマー、非極性モノマーおよび（Ｃ12−Ｃ22）アルキル第一アルコールとアクリル酸またはメタクリル酸とのエステルを共重合することによって形成されたポリマーを含む請求項１または２に記載の乾燥消去シート又は乾燥消去パッド。
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
カチオン定着剤、オキシシリル基含有化学種およびビヒクルを含む定着液であって、前記定着液は実質的に無色であり、前記オキシシリル基含有化学種は式（ＩＡ）および（ＩＢ）からなる群から選択された式の少なくとも２個の反応性のヒドロキシシリル部分、アルコキシシリル部分、アリールオキシシリル部分および／またはアシルオキシシリル部分を含む分子である定着液。
【化１】
2008508120.tif 000001
（式中、
各Ｒは個々に水素、アルキル基、アリール基またはアシル基であり、
ｓは１、２または３であり、
ｔは１または２であるが、
但し、ｓまたはｔが１である場合、前記分子は少なくとも２個の前記部分を含むことを条件とする）
【請求項２】
定着液および１種以上の着色インキを含むインクジェットインキセットであって、前記１種以上の着色インキの各々がビヒクルに安定に分散または溶解した着色剤を個々に含み、前記定着液が請求項１に記載の定着液であることを特徴とするインクジェットインキセット。
【請求項３】
請求項２に記載のインクジェットインキセットを備えたインクジェットプリンタ。
【請求項４】
（ａ）ディジタルデータ信号に応答するインクジェットプリンタを提供する工程と、
（ｂ）印刷しようとする基材を前記プリンタに装填する工程と、
（ｃ）インクジェットインキセットを前記プリンタに装填する工程と、
（ｄ）ディジタルデータ信号に応答して前記インクジェットインキセットを用いて前記基材上に印刷する工程と
を含む基材上にインクジェット印刷する方法であって、前記インクジェットインキセットが請求項２に記載のインクジェットインキセットであることを特徴とする方法。
【手続補正２】
【補正対象書類名】明細書
【補正対象項目名】０１４０
【補正方法】変更
【補正の内容】
【０１４０】
定着液Ｆ４のポリマーに似ているが、架橋基のないポリエチレンイミンポリマーにより比較定着液Ｆ６を調製した。試験３５および３６において、インキＣにこの比較定着液によりオーバープリントし、そしてアンダープリントした。定着液の全くないインキＣに比べて耐汚れ性の改善があった一方で、結果は本発明定着液Ｆ４により得られた結果（試験２７および２８）ほどには良くなかった。
次に、本発明の好ましい態様を示す。
1.  カチオン定着剤、オキシシリル基含有化学種およびビヒクルを含む定着液であって、前記定着液は実質的に無色であり、前記オキシシリル基含有化学種は式（ＩＡ）および（ＩＢ）からなる群から選択された式の少なくとも２個の反応性のヒドロキシシリル部分、アルコキシシリル部分、アリールオキシシリル部分および／またはアシルオキシシリル部分を含む分子である定着液。
2008508120.tif 000002
（式中、
各Ｒは個々に水素、アルキル基、アリール基またはアシル基であり、
ｓは１、２または３であり、
ｔは１または２であるが、
但し、ｓまたはｔが１である場合、前記分子は少なくとも２個の前記部分を含むことを条件とする）
2.  前記定着液は別個の物質としてカチオン定着剤およびオキシシリル基含有化学種を含む、上記１に記載の定着液。
3.  前記定着液は同じ分子中にカチオン定着剤およびオキシシリル基含有化学種を含む、上記１に記載の定着液。
4.  前記ビヒクルは水性ビヒクルである、上記１〜３のいずれか１項に記載の定着液。
5.  前記ビヒクルは非水性ビヒクルである、上記１〜３のいずれか１項に記載の定着液。
6.  ２５℃で約２０ダイン／ｃｍ〜約７０ダイン／ｃｍの範囲内の表面張力および２５℃で３０ｃＰの粘度を有する、上記１〜５のいずれか１項に記載の定着液。
7.  定着液および１種以上の着色インキを含むインクジェットインキセットであって、前記１種以上の着色インキの各々がビヒクルに安定に分散または溶解した着色剤を個々に含み、前記定着液が上記１〜６のいずれか１項に記載の定着液であることを特徴とするインクジェットインキセット。
8.  前記１種以上の着色インキはシアンインキ、マゼンタインキおよびイエローインキを含む、上記７に記載のインクジェットインキセット。
9.  前記１種以上の着色インキはブラックインキを更に含む、上記８に記載のインクジェットインキセット。
10.  前記着色剤はアニオン着色剤である、上記７のいずれか１項に記載のインクジェットインキセット。
11.  前記定着液のためのビヒクルは非水性ビヒクルであり、前記１種以上の着色インキの各々のためのビヒクルは水性ビヒクルである、上記７〜１０のいずれか１項に記載のインクジェットインキセット。
12.  上記７〜１１のいずれか１項に記載のインクジェットインキセットを備えたインクジェットプリンタ。
13.  （ａ）ディジタルデータ信号に応答するインクジェットプリンタを提供する工程と、
（ｂ）印刷しようとする基材を前記プリンタに装填する工程と、
（ｃ）インクジェットインキセットを前記プリンタに装填する工程と、
（ｄ）ディジタルデータ信号に応答して前記インクジェットインキセットを用いて前記基材上に印刷する工程と
を含む基材上にインクジェット印刷する方法であって、前記インクジェットインキセットが上記７〜１１のいずれか１項に記載のインクジェットインキセットであることを特徴とする方法。
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
ＩＣデバイスを支持する支持部を有するハウジングと、該支持部にそれぞれの接点部を弾性変位可能に配置する複数のコンタクトと、該支持部に支持したＩＣデバイスを押圧して、該ＩＣデバイスの複数のリードを該複数のコンタクトの該接点部に突き当てる押圧部材と、該押圧部材にＩＣデバイスを押圧する押圧力を生じさせる付勢機構とを具備するＩＣソケットにおいて、
前記押圧部材は、前記ハウジング上で直動式に案内される支軸と、該ハウジング上で該支軸を中心に揺動変位可能な押圧面とを有し、
前記付勢機構は、前記押圧部材の前記支軸に付勢力を加えることにより、前記押圧面に前記押圧力を生じさせること、
を特徴とするＩＣソケット。
【請求項２】
前記支持部に最も近接する作用位置に前記押圧面があるときに、前記押圧部材を回動方向へ機械的に固定する固定構造をさらに具備する、請求項１に記載のＩＣソケット。
【請求項３】
前記ハウジング上で前記押圧部材を操作して前記押圧面を変位させる操作部材をさらに具備し、該操作部材が前記付勢機構に連動する、請求項１又は２に記載のＩＣソケット。
【請求項４】
前記操作部材は、前記ハウジングに対し接近及び離反する方向へ移動可能に配置されるカバーを備え、前記付勢機構は、該カバーを該ハウジングから離反する方向へ弾性的に付勢する弾性部材と、該弾性部材から該カバーに加わる力を前記付勢力として前記支軸に伝達するレバーとを備える、請求項３に記載のＩＣソケット。
【請求項５】
前記ハウジング上で前記押圧部材を、前記支持部に接近する回動方向へ弾性的に付勢する第２弾性部材をさらに具備する、請求項４に記載のＩＣソケット。
【請求項６】
前記第２弾性部材の付勢力に抗して、前記押圧部材を予め定めた回動位置に係止する係止要素をさらに具備する、請求項５に記載のＩＣソケット。
【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
光記録媒体から読み取った音声データをメモリにバッファリングする方法であって、前記音声データが所定数の音声サンプルを有する複数のフレームに分割されており、エラー状態になった場合に、前記メモリ内の所定の検証済み書込み位置に対応する位置より先行する前記光記録媒体上の位置の音声データが読み取られ、前記メモリへの書込みが禁止され、
前記方法は、
前記光記録媒体から読み取った音声サンプルの数をカウントするステップと、
１つのフレームの音声サンプル数に等しい距離だけ離間した２つの連続するマーカを探索するステップと、
前記連続するマーカが見つかったときに、カウントした音声サンプルの数に基づいて検証済み書込み位置までの残りの距離を決定するステップと、
前記光記録媒体から読み取った音声データが検証済み書込み位置に対応するときに、前記メモリへの音声データの書込みを再開するステップと、
を含む、前記方法。
【請求項２】
前記マーカが、サブコード・フレームの同期ビットである、請求項１に記載の方法。
【請求項３】
前記検証済み書込み位置までの距離が、サブコード・フレームの数を単位として決定される、請求項２に記載の方法。
【請求項４】
前記検証済み書込み位置までの残りのサブコード・フレームの数をカウントダウンするために、カウンタが設けられる、請求項３に記載の方法。
【請求項５】
前記光記録媒体から読み取った音声サンプルの数のカウントが、新たなフレームの始点を示す信号によって開始される、請求項２乃至請求項４の一項に記載の方法。
【請求項６】
前記メモリの読取りカウンタが、前記検証済み書込み位置に達した場合にエラー・ステータスを示すステップを更に含む、請求項１乃至請求項５の一項に記載の方法。
【請求項７】
前記エラー状態が、衝撃によって引き起こされる中断である、請求項１乃至請求項６の一項に記載の方法。
【請求項８】
前記検証済み書込み位置に達する前に更に中断が起きた場合に、前記光記録媒体上の更に前の位置から音声データを読み取る、請求項７に記載の方法。
【請求項９】
前記エラー状態が、前記メモリのオーバフローまたはオーバフロー直前の状態である、請求項１乃至請求項６の一項に記載の方法。
【請求項１０】
請求項１乃至請求項９の一項に記載の音声データを、バッファリングする方法を実行するように適合される光記録媒体の読取りおよび／または書込みを行う装置。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
定線速度で駆動される光記録媒体の回転周波数を決定する方法であって、
現在のサブコード情報またはセクタ情報によって回転周波数を近似するステップを含む、前記方法。
【請求項２】
前記現在のサブコード情報またはセクタ情報によって回転周波数を近似するステップが、
前記現在のサブコード情報またはセクタ情報に基づいて前記光記録媒体上の基準位置からのトラックの数を決定するステップと、
前記決定したトラック数から回転周波数の近似値を計算するステップと、
を含む、請求項１に記載の方法。
【請求項３】
１つまたは複数の動作パラメータを決定するステップと、
前記決定した動作パラメータを用いて回転周波数の近似値を計算するステップと、
をさらに含む、請求項２に記載の方法。
【請求項４】
前記動作パラメータが、定線速度、基準位置の半径、および隣接するトラック間の距離を含む、請求項３に記載の方法。
【請求項５】
前記光記録媒体上の基準位置がプログラム領域の始点である、請求項２〜４のうちいずれか一項に記載の方法。
【請求項６】
光記録媒体の読取りおよび／または書込みを行う装置であって、
請求項１から５のうちいずれか一項に記載の定線速度で駆動される光記録媒体の回転周波数を決定する方法を実行するように構成される、前記装置。
【手続補正２】
【補正対象書類名】明細書
【補正対象項目名】０００９
【補正方法】変更
【補正の内容】
【０００９】
本発明がよりよく理解されるように、以下の説明では図面を参照しながら本発明についてより詳細に説明する。本発明がこの例示的な実施形態に限定されないこと、および本発明の範囲を逸脱することなく、具体的に挙げた特徴を適宜組み合わせる、且つ／または修正することもできることを理解されたい。
特許請求の範囲と実施例との対応関係を図面で使われている参照番号で示すと次の通りである。
１．  定線速度（ｖ）で駆動される光記録媒体（６）の回転周波数（ｆ）を決定する方法であって、
現在のサブコード情報またはセクタ情報によって回転周波数（ｆ）を近似するステップを含む、前記方法。
２．  前記現在のサブコード情報またはセクタ情報によって回転周波数（ｆ）を近似するステップが、
前記現在のサブコード情報またはセクタ情報に基づいて前記光記録媒体（６）上の基準位置からのトラックの数（Ｎ）を決定するステップ（１）と、
前記決定したトラック数（Ｎ）から回転周波数（ｆ）の近似値を計算するステップ（３）と、
を含む、請求項１に記載の方法。
３．  １つまたは複数の動作パラメータ（ｖ、ｒｉ、ｓ）を決定するステップ（２）と、
前記決定した動作パラメータ（ｖ、ｒｉ、ｓ）を用いて回転周波数（ｆ）の近似値を計算するステップ（３）と、
をさらに含む、請求項２に記載の方法。
４．  前記動作パラメータが、定線速度（ｖ）、基準位置の半径（ｒｉ）、および隣接するトラック間の距離（ｓ）を含む、請求項３に記載の方法。
５．  前記光記録媒体（６）上の基準位置がプログラム領域の始点である、請求項２〜４のうちいずれか一項に記載の方法。
６．  光記録媒体（６）の読取りおよび／または書込みを行う装置であって、
請求項１から５のうちいずれか一項に記載の定線速度（ｖ）で駆動される光記録媒体（６）の回転周波数（ｆ）を決定する方法を実行するように構成される、前記装置。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
a）基板と；
b）該基板の上方に配置された少なくとも1つの断熱層と；
c）該断熱層の上方に位置していて、該断熱層よりも熱伝導率が大きい第1の電極と；
d）該第1の電極と上記基板の間に上記断熱層を貫通して設けられていて、該断熱層よりも熱伝導率が大きい材料を含む複数の熱コンタクトと；
e）該第1の電極の上方に配置されていて、少なくとも1つの発光層を含む1つ以上の有機層と；
f）該1つ以上の有機層の上方に配置された第2の電極と
を備えるOLEDディスプレイ。
【請求項２】
上記熱コンタクトが上記第1の電極と熱的に接触している、請求項1に記載のディスプレイ。
【請求項３】
OLEDディスプレイの製造方法であって、
a）基板を用意するステップと；
b）該基板の上方に、複数の貫通孔が設けられた少なくとも1つの断熱層を形成するステップと；
c）該断熱層の複数の貫通孔の中に熱コンタクトを形成するステップと；
d）該断熱層の上方に第1の電極を形成するステップと；
e）該第1の電極の上方に発光層を配置するステップと；
f）該発光層の上方に第2の電極を形成するステップ
を含む方法。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
半導体電子デバイスであって、
基板と、
前記基板上に形成された第１のゲルマニウム含有層と、
該第１のゲルマニウム含有層の上に形成された第２のゲルマニウム含有層と、
を有し、
前記第１のゲルマニウム含有層は内部に該第１のゲルマニウム含有層と前記基板との間の格子不整合に伴う欠陥を含み、
前記第２のゲルマニウム含有層は欠陥密度が１．５×１０６ｃｍ２未満であることを特徴とするデバイス。
【請求項２】
トランジスタであって、
シリコン基板と、
前記基板上に形成された第１のゲルマニウム含有層と、
該第１のゲルマニウム含有層の上に形成された第２のゲルマニウム含有層と、
を有し、
前記第１のゲルマニウム含有層は内部に該第１のゲルマニウム含有層と前記基板との間の格子不整合に伴う欠陥を含み、
前記第２のゲルマニウム含有層は前記トランジスタの活性層として機能し、かつ欠陥密度が１．５×１０６ｃｍ２未満であることを特徴とするトランジスタ。
【請求項３】
シリコン含有基板と、
該シリコン含有基板上に形成された第１のゲルマニウム含有層と、
該第１のゲルマニウム含有層の上に形成された第２のゲルマニウム含有層とを有し、
前記第１のゲルマニウム含有層は内部に該第１のゲルマニウム含有層と前記基板との間の格子不整合に伴う欠陥を含み、
前記第２のゲルマニウム含有層は欠陥密度が１．５×１０６ｃｍ２未満であることを特徴とする光デバイス。
【請求項４】
ゲルマニウムを成長させる方法であって、
シリコン含有基板上に第１のゲルマニウム層を成長させること、
前記第１のゲルマニウム層を、水素の存在下でアニールすること、
前記第１のアニールされたゲルマニウム層上に、第２のゲルマニウム層を成長させること、および
前記第２のゲルマニウム層を水素の存在下でアニールすることを含むことを特徴とする方法。
【請求項５】
前記第１および第２のゲルマニウム層のうち少なくとも一方をアニールすることが、ゲルマニウム−水素クラスタを形成することを含むことを特徴とする請求項４に記載の方法。
【請求項６】
ゲルマニウム−水素クラスタを形成することが、前記第１および第２のゲルマニウム層のうち前記少なくとも一方における拡散率および表面移動度を増大させることを含むことを特徴とする請求項５に記載の方法。
【請求項７】
シリコン含有基板上に第１のゲルマニウム層を成長させることが、シリコン半導体ウエーハ上に薄いエピタキシャル・ゲルマニウム層を成長させることを含むことを特徴とする請求項４に記載の方法。
【請求項８】
前記第１のアニールされたゲルマニウム層上に第２のゲルマニウム層を成長させることが、前記第１のアニールされたゲルマニウム層の少なくとも約２倍の厚さのゲルマニウム層を成長させることを含むことを特徴とする請求項７に記載の方法。
【請求項９】
薄いエピタキシャル・ゲルマニウム層を成長させることが、厚さ約４００ｎｍ未満のゲルマニウム層を成長させることを含むことを特徴とする請求項８に記載の方法。
【請求項１０】
水素の存在下で前記第１のゲルマニウム層をアニールすることが、前記第１のゲルマニウム層内の貫通転位を、前記第１のゲルマニウム層と前記シリコン含有基板との間の境界面に比べて、水平位置に向けて操作することを含むことを特徴とする請求項４に記載の方法。
【請求項１１】
水素の存在下で前記第１のゲルマニウム層をアニールすることが、
前記シリコン含有基板からシリコンを、前記第１のゲルマニウム層からゲルマニウムを拡散させること、および
不整合による応力および熱膨張の不一致による応力に応じて、前記アニールすることによって促進される前記第１のゲルマニウム層内の貫通転位のすべりを引き起こすことを含むことを特徴とする請求項４に記載の方法。
【請求項１２】
シリコン含有基板上に第１のゲルマニウム層を成長させることが、薄い第１のゲルマニウム層を、化学気相成長によって、チャンバ内で約４３０℃で堆積させることを含み、
前記第１のゲルマニウム層を、水素の存在下でアニールすることが、水素を前記チャンバ内で約８２５℃の温度で、前記第１のゲルマニウム層に導入することを含み、
前記第１のアニールされたゲルマニウム層上に第２のゲルマニウム層を成長させることが、前記薄い第１のゲルマニウム層に比べて、より厚いゲルマニウム層を、化学気相成長によって前記チャンバ内で、約４６０℃で堆積させることを含み、
前記第２のゲルマニウム層を水素の存在下でアニールすることが、水素を前記第２のゲルマニウム層に、前記チャンバ内で、約８２５℃の温度で導入することを含むことを特徴とする請求項４に記載の方法。
【請求項１３】
半導体基板を製作する方法であって、
ゲルマニウムを含む第１の層を基板上に形成すること、
前記第１の層を、水素を含む雰囲気中でアニールすること、および次いで、
ゲルマニウムを含む第２の層を、前記第１の層上に形成することを含むことを特徴とする方法。
【請求項１４】
前記第２の層を、水素を含む雰囲気中でアニールすることをさらに含むことを特徴とする請求項１３に記載の方法。
【請求項１５】
前記基板がシリコン基板であることを特徴とする請求項１３に記載の方法。
【請求項１６】
前記第１の層がゲルマニウム層であることを特徴とする請求項１３に記載の方法。
【請求項１７】
前記第２の層がゲルマニウム層であることを特徴とする請求項１３に記載の方法。
【請求項１８】
前記第１の層が化学気相成長によって形成されることを特徴とする請求項１３に記載の方法。
【請求項１９】
前記第２の層が化学気相成長によって形成されることを特徴とする請求項１３に記載の方法。
【請求項２０】
半導体デバイスを、前記第２の層上に形成することをさらに含むことを特徴とする請求項１３に記載の方法。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
動物によって摂取される栄養素の利用に基づいて動物飼料配合を生成するシステムであって、
動物の特性に基づいて動物の必要量のセットを生成して、前記動物の予測される栄養素利用および前記動物の必要量のセットに少なくとも部分的に基づいて動物飼料配合入力を生成するように構成されたシミュレータエンジンと、
前記動物飼料配合入力を受け取って、前記動物飼料配合入力に基づいて最適化された動物飼料配合を生成するように構成されたフォーミュレータエンジンとを備えるシステム。
【請求項２】
少なくとも１つの可変入力に対して最適化値を生成するように構成されたエンタープライズスーパーバイザエンジンであって、前記可変入力は動物による前記栄養素の利用に影響を与えるエンタープライズスーパーバイザエンジンをさらに含む請求項１に記載のシステム。
【請求項３】
前記少なくとも１つの可変入力に対して最適化値を生成することは、前記少なくとも１つの可変入力に前記変更の予測された影響をもたらすことを含む請求項２に記載のシステム。
【請求項４】
前記予測された影響は動物によって利用される、前記動物によって摂取される栄養素の割合である請求項３に記載のシステム。
【請求項５】
前記動物飼料配合入力に対する最適化値を生成するように構成されたエンタープライズスーパーバイザエンジンであって、前記最適化値は動物の前記栄養素利用がその動物の本来の前記動物必要量に近づくように構成されるエンタープライズスーパーバイザエンジンをさらに含む請求項２に記載のシステム。
【請求項６】
１つまたは複数の動物情報入力に基づいて栄養素利用モデルを生成するように構成された栄養素利用シミュレータをさらに含む請求項１に記載のシステム。
【請求項７】
前記栄養素利用シミュレータは動物の健康、動物の飼料配合栄養素、動物の環境、および動物の特性のうちの少なくとも１つに基づいて前記動物の前記栄養素利用モデルを生成するように構成される請求項６に記載のシステム。
【請求項８】
動物によって摂取される栄養素の利用に基づいて動物飼料配合を生成する方法であって、
少なくとも１つの動物情報入力を受け取るステップと、
前記少なくとも１つの動物情報入力に少なくとも部分的に基づいて動物の必要量のセットを判別するステップと、
前記動物の必要量に基づいて動物飼料原材料から成る最適化された動物飼料配合を生成するステップと、
前記少なくとも１つの動物情報入力に基づいて動物の栄養素利用を判別するステップと、
前記動物飼料原材料の前記動物の前記栄養素利用に基づいて動物飼料原材料から成る変更された動物飼料配合を生成するステップとを備える方法。
【請求項９】
少なくとも１つの可変入力に対して最適化値を生成するステップであって、前記可変入力は前記動物の前記栄養素利用に影響を与えるステップをさらに含む請求項８に記載の方法。
【請求項１０】
前記少なくとも１つの可変入力に対して最適化値を生成するステップは、前記少なくとも１つの可変入力に前記変更の予測された影響をもたらすステップを含む請求項９に記載の方法。
【請求項１１】
動物の栄養素利用を判別するステップは、前記動物の前記排泄ストリーム内の前記栄養素含有量を判別するステップを含む請求項８に記載の方法。
【請求項１２】
動物の栄養素利用を判別するステップは、動物の健康、動物の飼料配合栄養素、動物の環境、および動物の特性のうちの少なくとも１つに基づいて前記動物の予測された栄養素利用モデルを生成するステップを含む請求項８に記載の方法。
【請求項１３】
少なくとも１つの動物情報入力に基づいて前記動物飼料原材料の栄養素含有量を判別するステップをさらに含む請求項８に記載の方法。
【請求項１４】
保管の方法、輸送の方法、浸出予測、および処理方法のうちの少なくとも１つに基づいて栄養素含有量プロファイルを生成するステップをさらに含む請求項８に記載の方法。
【請求項１５】
動物によって摂取される栄養素の利用に基づいて動物飼料配合を生成するシステムであって、
動物の特性に基づいて動物の必要量のセットを生成して、前記動物の必要量を満たすために使用される動物飼料原材料の予測される栄養素含有量に基づいて動物飼料配合入力を生成するように構成されたシミュレータエンジンと、
前記動物飼料配合入力を受け取って、前記動物飼料配合入力に基づいて最適化された動物飼料配合を生成するように構成されたフォーミュレータエンジンとを備えるシステム。
【請求項１６】
少なくとも１つの可変入力に対して最適化値を生成するように構成されたエンタープライズスーパーバイザエンジンであって、前記可変入力は前記動物飼料原材料の前記栄養素含有量に影響を与えるエンタープライズスーパーバイザエンジンをさらに含む請求項１５に記載のシステム。
【請求項１７】
前記少なくとも１つの可変入力に対して最適化値を生成することは、前記少なくとも１つの可変入力に前記変更の予測された影響をもたらすことを含む請求項１６に記載のシステム。
【請求項１８】
１つまたは複数の動物情報入力に基づいて栄養素含有量モデルを生成するように構成された栄養素含有量エンジンをさらに含む請求項１５に記載のシステム。
【請求項１９】
保管の方法、輸送の方法、浸出予測、および処理方法のうちの少なくとも１つに基づいて前記栄養素含有量モデルが生成される請求項１８に記載のシステム。
【請求項２０】
前記動物飼料配合入力に対する最適化値を生成するように構成されたエンタープライズスーパーバイザエンジンであって、前記最適化値は動物飼料配合の前記栄養素含有量がその動物の本来の前記動物必要量に近づくように構成されるエンタープライズスーパーバイザエンジンをさらに含む請求項１５に記載のシステム。
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
データ記憶及び再生装置であって、
・記憶媒体と、
・使用中の前記記憶媒体の性能の測定値に基づいて、前記記憶媒体のある領域からの取り出しの誤り率の予測についての情報を生成するように構成されている誤り率評価ユニットと、
・受信データのＥＣＣへの符号化を行った後で前記符号化された受信データを前記領域に格納するエンコーダであって、前記誤り率評価ユニットからの前記情報によって前記ＥＣＣを適応的に選択するエンコーダと
を含むデータ記憶及び再生装置。
【請求項２】
前記選択されたＥＣＣによって前記受信データの受信の速度を適応させるように構成されている入力回路を有する請求項１に記載のデータ記憶及び再生装置。
【請求項３】
前記情報が与えられると、所定の復号後誤り率しか生成しないと予測される、最速の符号化可能なＥＣＣが、選択されるように、使用可能な複数のＥＣＣから前記ＥＣＣが選択される請求項１に記載のデータ記憶及び再生装置。
【請求項４】
前記領域から前記データを読み出すとともに、前記領域のために前記選択されたＥＣＣを示す情報を読み出し、且つ、前記示されたＥＣＣによって前記領域からの前記データを復号するように構成されているデコーダ回路を備える請求項１に記載のデータ記憶及び再生装置。
【請求項５】
音声および／またはビデオの再生に使用するために、復号されたデータを少なくとも所定の再生レートで出力する出力を有する請求項４に記載のデータ記憶及び再生装置。
【請求項６】
前記記憶媒体が複数の領域を備え、前記誤り率評価ユニットが、前記領域のうちのそれぞれの領域についてのそれぞれの情報を評価し、前記エンコーダが、特定の領域についての前記情報によって、特定の領域ごとに前記ＥＣＣを選択する請求項１に記載のデータ記憶及び再生装置。
【請求項７】
前記記憶媒体がフラッシュメモリ回路である請求項１に記載のデータ記憶及び再生装置。
【請求項８】
データ記憶及び送信装置であって、
・記憶媒体と、
・使用中の前記記憶媒体の性能の測定値に基づいて、前記記憶媒体のある領域からの取り出しの誤り率の予測についての情報を生成するように構成されている、誤り率評価ユニットと、
・前記記憶媒体のある領域から取り出されるデータの復号を１つのＥＣＣによって行うデコーダであって、前記誤り率評価ユニットからの前記情報によって複数の使用可能なＥＣＣから前記ＥＣＣを選択するデコーダと
を備えるデータ記憶及び送信装置。
【請求項９】
前記選択されたＥＣＣによって、前記取り出され、復号されたデータの送信の速度を適応させるように構成されている出力回路を有する請求項８に記載のデータ記憶及び送信装置。
【請求項１０】
誤り率評価ユニットからの前記情報によって適応的に選択される、前記ＥＣＣのうちの選択されたＥＣＣによって最初に符号化された前記データを格納するように構成されているエンコーダ回路を備える請求項８に記載のデータ記憶及び送信装置。
【請求項１１】
取り出し、復号するための前記データを格納し、したがって前記データが前記複数のすべてのＥＣＣによって符号化されるように構成されているエンコーダ回路を備える請求項８に記載のデータ記憶及び送信装置。
【請求項１２】
前記記憶媒体がフラッシュメモリ回路である請求項８に記載のデータ記憶及び送信装置。
【請求項１３】
データを記憶媒体に書き込む方法であって、
・使用中に前記記憶媒体の性能の測定値を収集することと、
・前記測定値に基づいて、前記記憶媒体のある領域からの取り出しの誤り率の予測についての情報を生成することと、
・エンコーダによってサポートされている複数のＥＣＣから１つのＥＣＣを選択することであって、前記選択が前記生成された情報に応じて適応可能であることと、
・受信データを前記エンコーダにより前記選択されたＥＣＣに符号化した後で前記符号化された受信データを前記領域に格納することと
を備える方法。
【請求項１４】
データを記憶媒体から読み出す方法であって、
・使用中に前記記憶媒体の性能の測定値を収集することと、
・前記測定値に基づいて、前記記憶媒体のある領域からの取り出しの誤り率の予測についての情報を生成することと、
・デコーダによってサポートされている複数のＥＣＣから１つのＥＣＣを選択することであって、前記選択が前記生成された情報に応じて適応可能であることと、
・受信データを前記選択されたＥＣＣによって前記デコーダにより復号した後で前記符号化された受信データを前記領域に格納することと
を備える方法。
【請求項１５】
プログラム可能コンピュータにロードされると、前記コンピュータに、請求項１３および／または１４に記載の前記方法を実行させる機械命令を備えるコンピュータプログラム。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
トップ-エミッション型OLEDデバイスの水分汚染を減らす方法であって、
a）上面と底面を有する基板を用意し；
b）上記基板の上面の上方に、光を発生させるトップ-エミッション型ELユニットを形成するが、その光が主にその基板を通過することはなく；
c）上記基板の上面の上方に第1の保護カバーを形成し、その基板の底面の下方に第2の保護カバーを形成することにより、それぞれ第1のチェンバーと第2のチェンバーを画定し；
d）上記第2のチェンバーに水分吸収材料を組み合わせ；
e）上記第1のチェンバーと上記第2のチェンバーを連通させることにより、上記第1のチェンバーまたは第2のチェンバーに含まれる水分を上記水分吸収材料によって吸収させる操作を含む方法。
【請求項２】
上記水分吸収材料の選択が、アルカリ金属；アルカリ土類金属；水分と反応する他の金属；アルカリ金属酸化物；アルカリ土類金属酸化物；硫酸塩；金属ハロゲン化物；過塩素酸塩；分子篩；以下の一般式で表わされるタイプの有機金属化合物：
【化１】
2008508682.tif 000001
（ただし、R1、R2、R3の選択は、アルキル基、アリール基、シクロアルキル基、複素環式基、アシル基のうちで炭素原子を1個以上有するものからなるグループの中からなされ、Mは3価の金属原子である）；以下の一般式で表わされるタイプの有機金属化合物：
【化２】
2008508682.tif 000002
（ただし、R1、R2、R3、R4、R5の各選択は、アルキル基、アルケニル基、アリール基、シクロアルキル基、複素環式基、アシル基のうちで炭素原子を1個以上有するものからなるグループの中からなされ、Mは3価の金属原子である）；以下の一般式で表わされるタイプの有機金属化合物：
【化３】
2008508682.tif 000003
（ただし、R1、R2、R3、R4の各選択は、アルキル基、アルケニル基、アリール基、シクロアルキル基、複素環式基、アシル基のうちで炭素原子を1個以上有するものからなるグループの中からなされ、Mは4価の金属原子である）；仕事関数が4.5eV未満であって水分の存在により酸化され得る金属；ならびにこれらの組み合わせからなるグループの中からなされる、請求項1に記載の方法。
【請求項３】
上記基板の上面の上方に第1の保護カバーを形成する前に、上記ELユニットの上に保護層を設ける操作をさらに含む、請求項1に記載の方法。
【請求項４】
上記第1の保護カバーが、光学的に活性な1つ以上の追加層を含む、請求項1に記載の方法。
【請求項５】
上記保護カバーと上記基板の間にある封止材料または他の密封材料が上記チェンバーの一部を画定している、請求項1に記載の方法。
【請求項６】
トップ-エミッション型OLEDデバイスの水分汚染を減らす方法であって、
a）上面と底面を有する基板を用意し；
b）上記基板の上面の上方に、光を発生させる2つ以上のトップ-エミッション型ELユニットを形成するが、その光が主にその基板を通過することはなく；
c）上記基板の上面の上方に1つ以上の第1の保護カバーを形成し、その基板の底面の下方に1つ以上の第2の保護カバーを形成することにより、それぞれ2つ以上の第1のチェンバーと2つ以上の第2のチェンバーを画定し；
d）第2のチェンバーの各々に水分吸収材料を組み合わせ；
e）各ELユニットの上記第1のチェンバーと上記第2のチェンバーを連通させることにより、上記第1のチェンバーまたは第2のチェンバーに含まれる水分を上記水分吸収材料によって吸収させる操作を含む方法。
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008508251.tif 000001
［式中、
Ｘは、水素原子、ハロゲン原子、ヒドロキシ基、シアノ基、場合により１個以上のハロゲン原子によって置換されたＣ１〜Ｃ４アルキルスルホンアミド基、場合により１個以上のハロゲン原子によって置換されたＣ１〜Ｃ４アルカノイルアミド基、アリールスルホンアミド基であり；
Ｙは、−ＣＨ＝基または−Ｎ＝原子であり；
Ｚは、水素原子、ハロゲン原子、Ｃ１〜Ｃ４アルキル基、Ｃ１〜Ｃ４アルコキシ基、シアノ基、トリフルオロメチル基、トリフルオロメトキシ基である］
で示される新規なヘテロ環カルボン酸アミド誘導体、およびその塩。
【請求項２】
(4-ベンジリデン-ピペリジン-1-イル)-(6-ヒドロキシ-1H-ベンゾイミダゾール-2-イル)-メタノン、
(6-ヒドロキシ-1H-ベンゾイミダゾール-2-イル)-[4-(4-メチル-ベンジリデン)-ピペリジン-1-イル]-メタノン、
[4-(4-フルオロ-ベンジリデン)-ピペリジン-1-イル]-(6-ヒドロキシ-1H-ベンゾイミダゾール-2-イル)-メタノン、
[4-(4-クロロ-ベンジリデン)-ピペリジン-1-イル]-(6-ヒドロキシ-1H-ベンゾイミダゾール-2-イル)-メタノン、および
(4-ベンジリデン-ピペリジン-1-イル)-(6-ヒドロキシ-1H-インドール-2-イル)-メタノン、
並びに、それらの塩からなる群から選ばれる請求項１の範囲内に属する、４−ベンジリデン−ピペリジン誘導体の化合物。
【請求項３】
有効成分としての式（Ｉ）（式中、Ｘ、Ｙ、およびＺの意味は請求項１に示す通りである）で示されるヘテロ環カルボン酸アミド誘導体またはその塩の有効量、および実際に通常使用される補助物質（例えば、担体、賦形剤、希釈剤、安定化剤、湿潤剤または乳化剤、ｐＨ−および浸透圧−調整剤、香味剤、芳香剤、並びに製剤化−促進または製剤化−付与添加物）を含有する、医薬組成物。
【請求項４】
式（Ｉ）（式中、Ｘ、ＹおよびＺの意味は請求項１に示す通りである）で示されるヘテロ環カルボン酸アミド誘導体の製造方法であって、ここで、
式（ＩＩ）：
【化２】
2008508251.tif 000002
（式中、Ｚの意味は式（Ｉ）について上記する通りである）で示される第２級アミンを、式（ＩＩＩ）：
【化３】
2008508251.tif 000003
（式中、ＸおよびＹの意味は式（Ｉ）について上記する通りである）
で示されるカルボン酸の反応性誘導体と適当な溶媒中で反応させ、
次いで場合により、その結果得られる式（Ｉ）（式中、Ｘ、Ｙ、およびＺの意味は請求項１に示す通りである）のヘテロ環カルボン酸アミド誘導体を、公知の方法によって、新規な置換基を導入するか、および／または存在する置換基を修飾しもしくは除去するか、および／または塩を形成するか、および／または塩から式（Ｉ）の化合物を遊離させるかによって、式（Ｉ）の別の化合物に変換することを特徴とする、該製造方法。
【請求項５】
式（ＩＩＩ）（式中、ＸおよびＹの意味は請求項１に示す通りである）のカルボン酸の活性誘導体を、式（ＩＩ）（式中、Ｚの意味は請求項１に示す通りである）の第２級アミンと、好ましくは塩基の存在下で反応させることを特徴とする、請求項４記載の製造方法。
【請求項６】
式（ＩＩＩ）（式中、ＸおよびＹの意味は請求項１に示す通りである）のカルボン酸の活性誘導体を、式（ＩＩ）（式中、Ｚの意味は請求項１に示す通りである）の第２級アミンと、ジメチルホルムアミド中、トリエチルアミンおよびＯ−ベンゾトリアゾール−１−イル−Ｎ,Ｎ,Ｎ',Ｎ'−テトラメチルウロニウムヘキサフルオロホスフェート（ＨＢＴＵ）の存在下で、反応させることを特徴とする、請求項４記載の製造方法。
【請求項７】
ＮＲ２Ｂ選択的ＮＭＤＡ受容体アンタゴニスト効果を有する医薬組成物の製造方法であって、有効成分としての式（Ｉ）（式中、Ｘ、Ｙ、およびＺの意味は請求項１に示す通りである）のヘテロ環カルボン酸アミド誘導体またはその医薬的に許容し得る塩を、実際に通常使用する補助物質（例えば、担体、賦形剤、希釈剤、安定化剤、湿潤剤または乳化剤、ｐＨ−および浸透圧−調整剤、香味剤、芳香剤、並びに製剤化−促進または製剤化−付与添加物）と混合することを特徴とする、該製造方法。
【請求項８】
哺乳動物（ヒトを含む）の下記：脳または脊髄の外傷性傷害、ヒト免疫不全ウイルス(ＨＩＶ)関連神経性傷害、筋萎縮性側索硬化症、疼痛のオピオイド処置に対する耐性および／または依存、例えばアルコール、オピオイドもしくはコカインの禁断症状、虚血性ＣＮＳ障害、例えばアルツハイマー病、パーキンソン病、ハンチントン病などの慢性神経変性障害、例えば神経因性疼痛もしくは癌関連疼痛などの疼痛および慢性疼痛状態、癲癇、不安症、うつ病、片頭痛、精神病、筋肉攣縮、様々な原因の痴呆、低血糖症、網膜の変性疾患、緑内障、喘息、耳鳴り、アミノグリコシド抗生物質誘発性聴覚損失、の疾患の処置および症状の軽減のための剤であって、式（Ｉ）（式中、Ｘ、Ｙ、およびＺの意味は請求項１に示す通りである）で示されるヘテロ環カルボン酸アミド誘導体またはその医薬的に許容し得る塩の有効量をそのままで、または担体、充填物質および医薬品に通常使用されるその他と組み合わせて含有する、該剤。
【請求項９】
哺乳動物（ヒトを含む）の下記：脳または脊髄の外傷性傷害、ヒト免疫不全ウイルス(ＨＩＶ)関連神経性傷害、筋萎縮性側索硬化症、疼痛のオピオイド処置に対する耐性および／または依存、例えばアルコール、オピオイドもしくはコカインの禁断症状、虚血性ＣＮＳ障害、例えばアルツハイマー病、パーキンソン病、ハンチントン病などの慢性神経変性障害、例えば神経因性疼痛、癌関連疼痛などの疼痛および慢性疼痛状態、癲癇、不安症、うつ病、片頭痛、精神病、筋肉攣縮、様々な原因の痴呆、低血糖症、網膜の変性疾患、緑内障、喘息、耳鳴り、アミノグリコシド抗生物質誘発性聴覚損失、の疾患の処置および症状の軽減のための医薬品の製造における、式（Ｉ）（式中、Ｘ、Ｙ、およびＺの意味は請求項１に示す通りである）で示されるヘテロ環カルボン酸アミド誘導体、および／またはその光学的鏡像異性体、もしくはラセミ体、および／または医薬的に許容し得る塩の使用。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
治療的有効量のＣＣケモカイン２（ＣＣＲ２）治療薬を含む、体脂肪及び／又は体重を減少又は維持するための医薬組成物。
【請求項２】
治療的有効量のＣＣケモカイン２（ＣＣＲ２）治療薬を含む糖尿病又は耐糖能低下を治療するための医薬組成物。
【請求項３】
治療的有効量のＣＣケモカイン２（ＣＣＲ２）治療薬を含む、メタボリックシンドローム障害を治療するための医薬組成物。
【請求項４】
ＣＣＲ２治療薬がＣＣＲ２アンタゴニストである、請求項１、２又は３に記載の医薬組成物。
【請求項５】
ＣＣＲ２治療薬がＣＣＲ２リガンドに対する阻害剤である、請求項１、２又は３に記載の医薬組成物。
【請求項６】
体脂肪及び／又は体重を減少するために使用することができる薬剤を同定する方法であって、（ｉ）試験患者にＣＣＲ２治療薬を投与すること、そして、（ｉｉ）該ＣＣＲ２治療薬が試験患者における体脂肪及び／又は体重の減少及び／又は維持に有効であるかどうかを決定することを含む、前記方法。
【請求項７】
糖尿病又は耐糖能低下を治療するために使用することができる薬剤を同定する方法であって、（ｉ）試験患者にＣＣＲ２治療薬を投与すること、そして、（ｉｉ）該ＣＣＲ２治療薬が試験患者における糖尿病又は耐糖能低下の治療に有効であるかどうかを決定することを含む、前記方法。
【請求項８】
メタボリックシンドローム障害を治療するために使用することができる薬剤を同定する方法であって、（ｉ）試験患者にＣＣＲ２治療薬を投与すること、そして、（ｉｉ）該ＣＣＲ２治療薬が試験患者におけるメタボリックシンドローム障害の治療に有効であるかどうかを決定することを含む、前記方法。
【請求項９】
ＣＣＲ２治療薬がＣＣＲ２アンタゴニストである、請求項６、７又は８に記載の方法。
【請求項１０】
ＣＣＲ２治療薬がＣＣＲ２リガンドに対する阻害剤である、請求項６、７又は８に記載の方法。
【請求項１１】
ＣＣＲ２アンタゴニストを試験患者に投与する前にＣＣＲ２の治療活性に関してインビトロ試験においてＣＣＲ２治療薬を試験することをさらに含む、請求項１、２又は３に記載の方法。
【請求項１２】
患者の体脂肪及び／又は体重を減少又は維持するために病人に治療薬を投与するためのＣＣＲ２治療薬及び使用説明書を含むキット。
【請求項１３】
病人の糖尿病及び／又は耐糖能低下を治療するために病人に治療薬を投与するためのＣＣＲ２治療薬及び使用説明書を含むキット。
【請求項１４】
病人のメタボリックシンドローム障害を治療するために病人にアンタゴニストを投与するためのＣＣＲ２治療薬及び使用説明書を含むキット。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
アミノ酸配列Ｘ１ＫＥＦＸ２ＲＩＶＸ３ＲＩＫＸ４ＦＬＲＸ５ＬＶＸ６を含むペプチド様化合物を含む、哺乳動物の細菌又は真菌感染症の予防処置又は治療処置のための医薬、
ここで
Ｘ１はＮ末端部分を表す、
Ｘ２はＫ又はＥである、
Ｘ３はＱ又はＥである、
Ｘ４はＤ又はＲである、
Ｘ５はＮ又はＥである、
Ｘ６はＣ末端部分を表す、
コア配列の１つ以上のアミノ酸は場合によって誘導体化されていてもよく、かつ
（ａ）Ｎ末端部分はアセチル化されている、及び／又は
（ｂ）Ｃ末端部分はアミデート化されている、及び／又は
（ｃ）アミノ酸配列はＸ１ＫＥＦＫＲＩＶＱＲＩＫＤＦＬＲＮＬＶＸ６と異なっている。
【請求項２】
Ｎ末端部分Ｘ１がアミノ酸Ｉ及び／又はＧを含む、請求項１に記載の医薬。
【請求項３】
Ｃ末端部分Ｘ６が、少なくとも４つのアミノ酸又はアミノ酸誘導体の配列を含む、請求項１又は２のいずれか１項に記載の医薬。
【請求項４】
Ｃ末端部分Ｘ６が、ＰＲＴＥ及びＲＰＬＲから選択されたアミノ酸配列を含み、前記配列のアミノ酸の１つ以上が場合により誘導体化されていてもよい、請求項１〜３のいずれか１項に記載の医薬。
【請求項５】
化合物が、２４個のアミノ酸又はその誘導体の配列を有するペプチドに類似しており、前記配列はＩＧＫＥＦＫＲＩＶＱＲＩＫＤＦＬＲＮＬＶＰＲＴＥ及びＩＧＫＥＦＫＲＩＶＥＲＩＫＲＦＬＲＥＬＶＲＰＬＲから選択され、かつ１つ以上のアミノ酸が場合により誘導体化されていてもよい、請求項１〜４のいずれか１項に記載の医薬。
【請求項６】
Ｎ末端がアセチル化されており、かつＣ末端がアミデート化されている、請求項５に記載の医薬。
【請求項７】
細菌又は真菌感染症がプランクトン性の微生物により引き起こされているところの、請求項１〜６のいずれか１項に記載の医薬。
【請求項８】
細菌又は真菌感染症が、急性又は慢性の全身感染症であるところの、請求項７に記載の医薬。
【請求項９】
全身感染症が敗血症ショックと結びついているところの、請求項７又は８のいずれか１項に記載の医薬。
【請求項１０】
哺乳動物の免疫系が病気又は投薬により抑制されているところの、請求項７又は８のいずれか１項に記載の医薬。
【請求項１１】
細菌又は真菌感染症が、固着性であることができかつバイオフィルムを形成することのできる微生物により引き起こされているところの、請求項１〜６のいずれか１項に記載の医薬。
【請求項１２】
細菌又は真菌感染症が急性又は慢性の、局所的又は局部的な感染症であるところの、請求項１１に記載の医薬。
【請求項１３】
局所的又は局部的感染症が、中耳炎、気管支炎、肺炎、又は副鼻腔炎、又はその他の下気道若しくは上気道又は呼吸器系の感染症であるところの、請求項１２に記載の医薬。
【請求項１４】
哺乳動物が嚢胞性線維症に罹患しているところの、請求項１２又は１３のいずれか１項に記載の医薬。
【請求項１５】
哺乳動物の免疫系が病気又は投薬により抑制されているところの、請求項１２〜１４のいずれか１項に記載の医薬。
【請求項１６】
局所的又は局部的感染症が、肝臓、脾臓、歯周組織、目、腎臓、皮膚、膣、尿道、又は心臓の感染症であるところの、請求項１２に記載の医薬。
【請求項１７】
局所的又は局部的感染症が、心臓弁、静脈カテーテル、導尿カテーテル、コンタクトレンズ、スピーチボタン、中耳腔換気用チューブ、子宮内デバイス、又は人工骨、その他の医療用デバイスの哺乳動物への移植又は挿入に関連するところの、請求項１６に記載の医薬。
【請求項１８】
哺乳動物が、アミノ酸配列Ｘ１ＫＥＦＸ２ＲＩＶＸ３ＲＩＫＸ４ＦＬＲＸ５ＬＶＸ６を含むペプチド様化合物以外のさらなる抗菌剤又は抗真菌剤で同時に治療されるところの、請求項１〜１７のいずれか１項に記載の医薬、ここで
Ｘ１はＮ末端部分を表す、
Ｘ２はＫ又はＥである、
Ｘ３はＱ又はＥである、
Ｘ４はＤ又はＲである、
Ｘ５はＮ又はＥである、
Ｘ６は、Ｃ末端部分を表す、
コア配列の１以上のアミノ酸が場合により誘導体化されていてもよい。
【請求項１９】
さらなる抗菌剤又は抗真菌剤が、一つの医薬の中でペプチド様化合物と組み合わされているところの、請求項１８に記載の医薬。
【請求項２０】
細菌又は真菌感染症が、アミノ酸配列Ｘ１ＫＥＦＸ２ＲＩＶＸ３ＲＩＫＸ４ＦＬＲＸ５ＬＶＸ６を含むペプチド様化合物ではない活性成分を含む医薬で同時に治療されないところの、請求項１〜１７のいずれか１項に記載の医薬、ここで
Ｘ１はＮ末端部分を表す、
Ｘ２はＫ又はＥである、
Ｘ３はＱ又はＥである、
Ｘ４はＤ又はＲである、
Ｘ５はＮ又はＥである、
Ｘ６は、Ｃ末端部分を表す、
コア配列の１以上のアミノ酸が場合により誘導体化されていてもよい。
【請求項２１】
医薬が１以上の薬学的に許容される担体又は添加剤を含む、請求項１〜２０のいずれか１項に記載の医薬。
【請求項２２】
医薬が、非経口的投与、好ましくは血管注射、筋肉注射、皮下注射、又は病巣内注射、のために、配合され、加工され、及び適合されているところの、請求項１〜２１のいずれか１項に記載の医薬。
【請求項２３】
医薬が、感染された部位又は組織の粘膜への局所的投与のために、灌注液体、点耳剤、点鼻剤、エアロゾル、粉末アエロゾル、噴霧用液体、ゲル、懸濁物、又は粘膜付着性投与形態、又はその他の形で配合され、加工され、及び適合されているところの、請求項１〜２１のいずれか１項に記載の医薬。
【請求項２４】
医薬がドラッグターゲッティング剤、生物学的利用能増強剤、及び／又は制御されたデリバリー剤をさらに含む、請求項１〜２３のいずれか１項に記載の医薬。
【請求項２５】
医薬が少なくとも１の保存剤をさらに含み、かつ該保存剤の含有量が対応する偽薬組成物を有効に保存するために必要とされる含有量より低いところの、請求項１〜２４のいずれか１項に記載の医薬。
【請求項２６】
医薬が実質的に保存剤を含まないところの、請求項１〜２４のいずれか１項に記載の医薬。